(57)【要約】  【課題】  焼却処分性に優れたクリアファイル１を提供すること。  【解決手段】  クリアファイル１は、所定形状のストーン紙１０を、その横幅方向のほぼ中央に位置する折曲げ線１１に沿って折り曲げて重ね合わせ、その二つ折りにしたストーン紙１０の表側部分を表面シート２とし、その裏面側部分を裏面シート３としたものである。このクリアファイル１によれば、表面シート２と裏面シート３とは、折曲げ線１１に沿って折り曲げられた状態で折曲縁辺５で繋がっており、その折曲縁辺５に隣り合う下縁辺が複数の溶着部６ａにより接合されることで形成されている。【選択図】        図１
2012051271.tif 000002
【特許請求の範囲】
【請求項１】
書類その他のシート状物を表面シートと裏面シートとの間に挟み込んで収容するクリアファイルにおいて、
その表面シート及び裏面シートは、ストーン紙によって形成されていることを特徴とするクリアファイル。
【請求項２】
前記表面シート若しくは裏面シート又はこれらの双方を形成するストーン紙の表面には、インク吸収性若しくは顔料付着性又はこれらの双方の性質を有するコーティング層が形成されていることを特徴とする請求項１記載のクリアファイル。
【請求項３】
前記表面シート若しくは裏面シート又はこれらの双方を形成するストーン紙が半透明であることを特徴とする請求項１又は２に記載のクリアファイル。
【発明の詳細な説明】
【技術分野】
【０００１】
本発明は、書類その他のシート状物を挟み込んで収容するためのクリアファイルに関するものである。
【背景技術】
【０００２】
クリアファイルは、その表面シート及び裏面シートの間に書類その他のシート状物を挟み込んで収容するものである。一般的には、クリアファイルは、ポリプロピレンなどの各種合成樹脂製のシート材料を使用して、その表面シートと裏面シートとがそれぞれ形成されている。
【先行技術文献】
【特許文献】
【０００３】
【特許文献１】実用新案登録第３１５３８５７号公報
【発明の開示】
【発明が解決しようとする課題】
【０００４】
しかしながら、上記した各種合成樹脂製のシート材料を使用したクリアファイルは、それを焼却処分する際に、不完全燃焼による有毒ガスやダイオキシンなどの有毒物質の発生を伴うため、安易に焼却処分することができず、廃棄処分する場合に有毒物質に対する設備上及び取り扱い上の配慮が必要となるという問題点があった。
【０００５】
本発明は、上述した問題点を解決するためになされたものであり、主に、焼却処分性に優れたクリアファイルを提供することを目的としている。
【課題を解決するための手段】
【０００６】
この目的を達成するために請求項１のクリアファイルは、書類その他の用紙を表面シートと裏面シートとの間に挟み込んで収容するものであり、その表面シート及び裏面シートは、ストーン紙によって形成されている。
【０００７】
この請求項１のクリアファイルによれば、表面シート及び裏面シートがストーン紙によって形成されている。ストーン紙は、後述するように、天然石から抽出された炭酸カルシウムなどの無機鉱物粉末（即ち、天然石灰石の粉末）を、その無機鉱物粉末よりも少量の合成樹脂であって毒性がないもの（例えば、ポリエチレン樹脂など）を介して、シート状に形成したものである。
【０００８】
クリアファイルは、その表面シート及び裏面シートがストーン紙で形成されているので、これを焼却処分する場合に、ストーン紙に含まれる少量の合成樹脂成分のみを燃焼させれば良く、その主成分である無機鉱物粉末成分は、自然界に元々存在する素材であるので、そのまま埋立処分や投棄処分しても自然環境に悪影響を及ぼす危険性がない。
【０００９】
しかも、ストーン紙に含まれる合成樹脂成分は無機鉱物粉末成分に比べて少量であることから、焼却時においてもより低い熱量により焼却することができる。また、かかるストーン紙の合成樹脂成分の燃焼が進行することで、無機鉱物粉末成分が粉末状に戻るため、合成樹脂と空気との接触が促進され、合成樹脂成分の燃焼速度が更に向上される。
【００１０】
そのうえ、合成樹脂成分は毒性のないものであるので、燃焼時に有毒ガス等の発生がなく、加えて、焼却処分される合成樹脂成分が少量であることから、二酸化炭素の発生量も抑制される。さらに、ストーン紙は、通常の紙とは異なって疎水性を有することから、表面シート及び裏面シートに付着した水滴などから、それらの間に挟み込まれたシート状物を保護することもできる。
【００１１】
請求項２のクリアファイルは、請求項１のクリアファイルにおいて、前記表面シート若しくは裏面シート又はこれらの双方を形成するストーン紙の表面には、インク吸収性若しくは顔料付着性又はこれらの双方の性質を有するコーティング層が形成されている。
【００１２】
この請求項２のクリアファイルによれば、請求項１のクリアファイルの奏する作用及び効果に加え、表面シート若しくは裏面シートのうち少なくとも一方又はその双方を形成するストーン紙は、その表面にコーティング層が形成されており、このコーティング層は、インク吸収性（インクを吸収する性質）若しく顔料付着性（顔料が付着しやすい性質）又はこれらの双方の性質を有している。
【００１３】
このため、クリアファイルの表面シート又は裏面シートに対し、インクによる印刷を直接行うことができ、或いは、水性インキを用いた筆記具や鉛筆などを用いて直接書き込みをすることができる。
【００１４】
請求項３のクリアファイルは、請求項１又は２のクリアファイルにおいて、前記表面シート若しくは裏面シート又はこれらの双方を形成するストーン紙が半透明である。
【００１５】
この請求項３のクリアファイルによれば、請求項１又は２のクリアファイルの奏する作用及び効果に加え、表面シート若しくは裏面シートのうち少なくとも一方又はその双方を形成するストーン紙が半透明であるので、これらの各シートの間に挟み込まれた書類などのシート状物を、表面シート又は裏面シート越しに透視することができる。
【発明の効果】
【００１６】
本発明のクリアファイルによれば、表面シート及び裏面シートをストーン紙により形成することによって、クリアファイルとしての機能を確保しつつ、その焼却処分性を合成樹脂製のクリアファイルに比べて向上させることができるという効果がある。
【図面の簡単な説明】
【００１７】
【図１】本発明の一実施形態であるクリアファイルを示した図であり、（ａ）は正面図であり、（ｂ）は平面図であり、（ｃ）は右側面図である。
【図２】クリアファイルの原紙となるストーン紙の展開平面図である。
【図３】クリアファイル内へシート状物を挿入する途中の状態を示した図である。
【図４】ストーン紙の積層構造を示した断面図であり、（ａ）は、ＲＢＤタイプのストーン紙を図示したものであり、（ｂ）は、ＲＢＳタイプのストーン紙を図示したものである。
【図５】クリアファイル内にシート状物を挟み込んで収容した状態を図示した正面図である。
【図６】第２の実施形態のクリアファイルの断面構造を示した概念図である。
【発明を実施するための形態】
【００１８】
以下、本発明の好ましい実施の形態について、添付図面を参照して説明する。図１は、本発明の一実施形態であるクリアファイル１を示した図であり、図１（ａ）は正面図であり、図１（ｂ）は平面図であり、図１（ｃ）は右側面図である。図２は、クリアファイル１の原紙となるストーン紙１０の展開平面図である。
【００１９】
図１に示すように、クリアファイル１は、書類、用紙その他のシート状物２０を収容可能なものであり、かかるシート状物２０を全体的に挟み込むために当該シート状物２０の平面サイズよりも僅かに大きな平面サイズを有した表面シート２及び裏面シート３を備えている。また、この表面シート２には印刷内容４として「ＡＢＣＤ」の文字が印刷されている。
【００２０】
また、表面シート２の右縁辺の上縁辺側には平面視円弧状の切欠部２ａが形成されており、この切欠部２ａから表面シート２と裏面シート３との間にあるシート状物２０の一部分が露出され（図５参照）、シート状物２０が抜き取り易くなっている。
【００２１】
ところで、クリアファイル１は、図２に示すように所定の形状をした原紙であるストーン紙１０を、その横幅方向のほぼ中央に位置する折曲げ線１１（図２中の２点鎖線）に沿って折り曲げて重ね合わせ、その二つ折りにしたストーン紙１０の表側部分を表面シート２とし、その裏側部分を裏面シート３としたものである。
【００２２】
このクリアファイル１は、表面シート２と裏面シート３とが折曲げ線１１のある左縁辺（図１（ａ）左側の縁辺であって、以下「折曲縁辺」という。）５で繋がっており（図１（ｂ）参照）、更に、図１（ａ）に示すように、折曲縁辺５に隣り合う下縁辺に沿って設けられる複数の溶着部６ａにより表面シート２と裏面シート３とが接合されることでできた接合縁辺６でも繋ぎ合わされている。
【００２３】
ここで、複数の溶着部６ａは、熱溶着、高周波熱溶着、又は、超音波溶着などの各種溶着手段により表面シート２及び裏面シート３を接合したものである。なお、超音波溶着によるストーン紙の溶着は、ストーン紙１０の合成樹脂成分の組成比率が、後述するＲＢシリーズのストーン紙１０における合成樹脂製成分の組成比率の値まで高められることで実現される。
【００２４】
このようにして製造されたクリアファイル１は、その折曲縁辺５及び接合縁辺６の２つの縁辺が塞がれている。これに対し、クリアファイル１は、その接合縁辺６の対辺に相当する上縁辺（以下「上部開放縁辺」という。）７と、その折曲縁辺５の対辺に相当する右縁辺（図１（ａ）右側の縁辺であって、以下「側部開放縁辺」という。）８とが開放されている。
【００２５】
図３は、クリアファイル１内へシート状物２０を挿入する途中の状態を示した図である。図３に示すように、クリアファイル１によれば、隣り合う上部開放縁辺７及び側部開放縁辺８が開放されていることから、これらの各開放縁辺７，８から書類などのシート状物２０を表面シート２及び裏面シート３間へ挿入して挟み込んで収容させることができる。
【００２６】
ここで、ストーン紙１０は、台湾龍盟科技股有限公司製の紙材であり、天然石から抽出した無機鉱物粉末を主成分として製造されたベース紙１２又はこのベース紙１２に各種処理を施した紙（以下「処理紙」という。）の総称である。また、このストーン紙１０は、台湾龍盟科技股有限公司製のストーン紙に関する日本国の正規輸入販売代理店である株式会社ＴＢＭにより国内販売されており、株式会社ＴＢＭが保有する登録商標「ｋｅｅｐｌｕｓ」により表示される商品として知られている。
【００２７】
このストーン紙１０には、ベース紙１２単体及びそれに所定の処理を施した各種の処理紙がある。本実施形態のクリアファイル１には、ストーン紙１０の中でも製品コードＲＢシリーズに属する製品コードがＲＢＤタイプ又はＲＢＳタイプのものが使用されている。
【００２８】
図４は、ストーン紙１０の積層構造を示した断面図であり、図４（ａ）は、ＲＢＤタイプのストーン紙１０を図示したものであり、図４（ｂ）は、ＲＢＳタイプのストーン紙１０を図示したものである。
【００２９】
図４（ａ）に示すように、ＲＢＤタイプのストーン紙１０は、そのベース紙１２の表裏両面にコーティング処理によりインク吸着層１３がそれぞれ積層形成されている。一方、図４（ｂ）に示すように、ＲＢＳタイプのストーン紙１０は、そのベース紙１２の片面にコーティング処理によりインク吸着層１３が積層形成されている。
【００３０】
これらのＲＢＤタイプ又はＲＢＳタイプのストーン紙１０は、その表裏両面又は片面にインク吸着層１３が積層形成されていることから、かかるインク吸着層１３の形成面に対して印刷可能となっている。特に、本実施形態におけるインク吸着層１３は、インク吸収性及び顔料付着性の双方の性質を併有するコーティング層である。
【００３１】
このインク吸着層１３によれば、印刷又は筆記により付着するインクの乗り及び乾燥性が良好であり、水ありオフセット印刷、水なしオフセット印刷、ＵＶオフセット印刷のいずれにも適したものである。また、水性インク又は黒鉛やその他の顔料を用いた筆記を用いて、このインク吸着層１３に対して直接書き込みをすることもできる。
【００３２】
また、ＲＢＤタイプ及びＲＢＳタイプのストーン紙１０に使用されるベース紙１２は、天然石から抽出された炭酸カルシウムなどの無機鉱物粉末と、ポリエチレンなどの毒性のない合成樹脂と、微量の添加剤とを混合してシート状に形成されたものである。
【００３３】
このストーン紙１０におけるベース紙１２の組成比率は、無機鉱物粉末成分が最も多く、合成樹脂成分は無機鉱物粉末よりも少量でとなっている。特に、ＲＢシリーズのストーン紙１０のベース紙１２は、その合成樹脂成分の組成比率が他のストーン紙１０に比べて高く、板紙に近い剛度を有しているため、折り曲げに対しても強靱であり、クリアファイル１の素材として好適である。
【００３４】
ここで、ＰＰＣ用紙などの紙と同程度の剛度を有するストーン紙１０のベース紙１２の組成比率は、無機鉱物粉末が８０％程度、合成樹脂成分が２０％程度、添加剤が２％であるのに対し、ＲＢシリーズのストーン紙１０のベース紙１２の組成比率は、台湾龍盟科技股有限公司の組成証明書によれば、無機鉱物粉末（炭酸カルシウム）成分が５８％程度、合成樹脂（ポリエチレン樹脂）成分が４０％、添加剤が２％となっている。
【００３５】
図５は、クリアファイル１内にシート状物２０を挟み込んで収容した状態を図示した正面図である。
【００３６】
上記したように、ＲＢシリーズのストーン紙１０のベース紙１２は、合成樹脂成分の組成比率が高いことから、その剛度が高いことに加え、かかる合成樹脂成分として無色透明又は半透明のものを使用した場合に光透過性が高められ、無機鉱物粉末を含有した状態であっても半透明レベルの光透過性が確保されている。
【００３７】
なお、このクリアファイル１に使用されるストーン紙１０のインク吸着層１３は、ベース紙１２の光透過性を低下させないように透明なコーティング層となっている。
【００３８】
このため、図５に示すように、ＲＢＤタイプ及びＲＢＳタイプのストーン紙１０を使用したクリアファイル１によれば、その表面シート２及び裏面シート３の間に挟まれた書類などのシート状物２０の印刷内容２１である「ＷＸＹＺ」の文字を表面シート２越しに透視することができる。しかも、上記したようにＲＢシリーズのストーン紙１０によれば、合成樹脂成分の組成比率が高いことから、その防水性（疎水性）も良好となっている。
【００３９】
次に、図６を参照して、上記した実施形態の変形例を説明する。なお、上記実施形態を同一の部分には同一の符号を付して、その説明を省略する。
【００４０】
図６は、第２の実施形態のクリアファイル３０の断面構造を示した概念図である。図６に示すように、第２の実施形態のクリアファイル３０は、上記したＲＢＳタイプのストーン紙１０を使用して製造されている。
【００４１】
ここで、ＲＢＳタイプのストーン紙１０は、インク吸着層１３がストーン紙１０の片面にしかない。このため、ストーン紙１０を折曲げ加工する場合に、インク吸着層１３の形成面側が表面シート２及び裏面シート３の外側面となるようにすることで、表面シート２及び裏面シート３の外側面に対して筆記具を用いた直接の書き込みがし易くなる。
【００４２】
そのうえ、このようなクリアファイル３０によれば、表面シート２及び裏面シート３の内側面にインク吸着層１３が存在しないので、書類などのシート状物に印刷されているインクや顔料がクリアファイル１の表面シート２及び裏面シート３の内側面に付着し難く、これらのシート２，３の内側面がインクや顔料で汚損され難くなり、各シート２，３の光透過性の低下が防止される。
【００４３】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００４４】
例えば、本実施形態では、請求項２に記載した「コーティング層」としてインク吸収性及び顔料付着性の双方の性質を有するインク吸着層１３を例示して説明したが、かかるコーティング層は、本実施形態のようにインク吸収性及び顔料付着性の双方の性質を併せ持つものである必要はなく、そのいずれか一方の性質のみ具有するものでも良い。
【００４５】
また、本実施形態では、ベース紙１２が半透明レベルの光透過性を有するものであったが、かかるストーン紙としてベース紙が不透明のものを用いても良く、或いは、印刷加工を施すことにより表面シートや裏面シートの光透過性を低下させてストーン紙を透視し難くいものにしても良い。
【００４６】
また、本実施例では、表面シート２及び裏面シート３の双方を半透明としたが、いずれか一方を半透明として他方を不透明としても良い。
【００４７】
また、本実施例では、１枚のストーン紙１０を折曲げることによって、表面シート２と裏面シート３とを作り出したが、必ずしも１枚のストーン紙を折り曲げるばかりでなく、例えば、２枚のストーン紙を重ね合わせて、その重なり合ったストーン紙における隣合う２つの縁辺を溶着により接合することで、クリアファイルを形成するようにしても良い。
【００４８】
かかる場合、表面シートと裏面シートとは必ずしも同じ種類のストーン紙である必要はなく、異なるタイプのストーン紙を組み合わせるようにしても良い。例えば、表面シートにＲＢＳタイプのストーン紙を用いて、裏面シートにＲＢＤタイプのストーン紙を用いるようにしても良い。
【００４９】
しかも、このとき、表面シートのインク吸着層の形成面をクリアファイルの外側面となるようにすれば、クリアファイル内に収容されたシート状物に印刷されているインクや顔料がクリアファイルの表面シートの内側面に付着してこれを汚損することを防止でき、かかる汚損による表面シートの光透過性の低下を防止することもできる。
【符号の説明】
【００５０】
１，３０            クリアファイル
２                  表面シート
３                  裏面シート
１０                ストーン紙
１２                ベース紙
１３                インク吸着層（コーティング層）
２０                シート状物
【図１】
2012051271.tif 000003
【図２】
2012051271.tif 000004
【図３】
2012051271.tif 000005
【図４】
2012051271.tif 000006
【図５】
2012051271.tif 000007
【図６】
2012051271.tif 000008